(57)【要約】【課題】  コードによる接続作業の作業性を向上する。【解決手段】  制御基板１６に第１接続コネクタ４１を設ける。主制御基板１５に第２接続コネクタ４２を設ける。副副制御基板収納ケース２６の前カバー３１に、コード保持板４６を取り付ける。コード収納ケース５０の内部に、コード巻き取り装置５１を設ける。コード巻き取り装置５１を、ケース本体５２、ゼンマイ５３、巻き取りリール５４、中継基板５５から構成する。接続コード３５の先端部に第１接続プラグ３６を取り付ける。コード収納ケース５０の外周面に、第２接続プラグ３７を取り付ける。中継基板５５の上面の上パターン面Ｐ１に、中継コード５８の先端部を取り付ける。中継コード５８の後端部を第２接続プラグ３７に取り付ける。接続コード３５は、ゼンマイ５３の付勢力により巻取方向Ｄに付勢されて、巻き取りリール５４に巻き取られる。【選択図】        図１１
2005261495.tif 000002
【特許請求の範囲】
【請求項１】
送られてくる電気信号に応じて遊技の際に作動する第１作動回路装置及び第２作動回路装置と、前記第１作動回路装置と前記第２作動回路装置とを電気信号の通信が可能になるように接続する電気コードとを備えた遊技機であって、
前記電気コードを収納し、前記電気コードの先端部を移動可能に保持するとともに、前記電気コードの後端部を移動不能に保持する電気コード収納ケースと、
前記電気コードの先端部を前記電気コード収納ケースに収納される方向に向けて付勢する付勢手段と、
前記第１作動回路装置の近傍に設けられ、前記電気コードの先端部側を移動不能に保持する保持部材とを備えたことを特徴とする遊技機。
【請求項２】
前記第１作動回路装置を収納する第１作動回路装置収納ケースを備え、前記保持部材は、前記第１作動回路装置収納ケースに取り付けられることを特徴とする請求項１記載の遊技機。
【請求項３】
前記第２作動回路装置を収納する第２作動回路装置収納ケースを備え、前記電気コード収納ケースは、前記第２作動回路装置収納ケースに取り付けられることを特徴とする請求項１または２記載の遊技機。
【請求項４】
前記第１作動回路装置には第１接続コネクタが、前記第２作動回路装置には第２接続コネクタがそれぞれ設けられ、前記電気コードの先端部には前記第１接続コネクタに接続する第１接続プラグが、前記電気コードの後端部には前記第２接続コネクタに接続する第２接続プラグがそれぞれ取り付けられ、前記第２接続プラグは、前記電気コード収納ケースに取り付けられることを特徴とする請求項１ないし３いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その内部に、遊技媒体の供給に基づいて作動させるランプ装置や音声発生装置などの様々な各種駆動装置と、これら駆動装置を制御するための主制御回路装置及び副制御回路装置とを備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は主制御回路装置及び副制御回路装置によって制御されている。
【０００３】
主制御回路装置は、メインＣＰＵ（ｃｅｎｔｒａｌ  ｐｒｏｃｅｓｓｉｎｇ  ｕｎｉｔ）及びメインＲＯＭ（ｒｅａｄ  ｏｎｌｙ  ｍｅｍｏｒｙ）を備え、メインＣＰＵは、メインＲＯＭに記憶されている遊技制御プログラムを読み込んでパチンコ機の遊技状態を制御する命令を生成すると共に、副制御回路装置に命令情報を送信して所定の遊技状態となるように実行させており、主制御回路装置と副制御回路装置とは、電気コードにより電気信号（命令情報）の通信が可能になるように接続されている。遊技機の機種によって、主制御回路装置と副制御回路装置とが取り付けられる位置が異なるため、電気コードは、主制御回路装置と副制御回路装置とが最も離れた位置に取り付けられたときの長さのものが、複数機種の遊技機に共通部品として用いられている。
【発明の開示】
【発明が解決しようとする課題】
【０００４】
しかしながら、主制御回路装置と副制御回路装置とが近い位置に取り付けられているときに、共通部品としての電気コードを用いると、電気コードを主制御回路装置と副制御回路装置とに接続した後に電気コードが余ってしまい、接続作業時に余った部分の電気コードが絡んでしまうことがあり、作業しずらいという問題があった。また、不正行為として、電気コードと主制御回路装置との接続を外し、不正な回路装置を電気コードに接続されることがあり、この場合には、不正な回路装置は、いずれの部材にも取り付けられずに、ぶらさがった状態となるが、電気コードを主制御回路装置と副制御回路装置とに接続した場合にも、電気コードが弛んでおり、電気コードと主制御回路装置との接続を外し、不正な回路装置を電気コードに接続されるという不正行為が行われ、不正な回路装置がぶらさがった状態となっている場合にも、電気コードの弛みなのか不正行為が行われたのかの判断が目視ではしずらく、不正行為が行われたことを発見するのが遅れていた。
【０００５】
本発明は、上記従来技術の問題を解決するためになされたものであり、電気コードによる接続作業の作業性を向上することができる遊技機を提供することを目的とする。
【課題を解決するための手段】
【０００６】
上記目的を達成するために、本発明の遊技機は、送られてくる電気信号に応じて遊技の際に作動する第１作動回路装置及び第２作動回路装置と、前記第１作動回路装置と前記第２作動回路装置とを電気信号の通信が可能になるように接続する電気コードとを備えた遊技機であって、前記電気コードを収納し、前記電気コードの先端部を移動可能に保持するとともに、前記電気コードの後端部を移動不能に保持するコード収納ケースと、前記電気コードの先端部を前記コード収納ケースに収納される方向に向けて付勢する付勢手段と、前記第１作動回路装置の近傍に設けられ、前記電気コードの先端部側を移動不能に保持する保持部材とを備えたことを特徴とする。
【０００７】
なお、前記第１作動回路装置を収納する第１作動回路装置収納ケースを備え、前記保持部材は、前記第１作動回路装置収納ケースに取り付けられることが好ましい。また、前記第２作動回路装置を収納する第２作動回路装置収納ケースを備え、前記コード収納ケースは、前記第２作動回路装置収納ケースに取り付けられることが好ましい。
【０００８】
さらに、前記第１作動回路装置には第１接続コネクタが、前記第２作動回路装置には第２接続コネクタがそれぞれ設けられ、前記電気コードの先端部には前記第１接続コネクタに接続する第１接続プラグが、前記電気コードの後端部には前記第２接続コネクタに接続する第２接続プラグがそれぞれ取り付けられ、前記第２接続プラグは、前記コード収納ケースに取り付けられることが好ましい。
【発明の効果】
【０００９】
本発明の遊技機によれば、送られてくる電気信号に応じて遊技の際に作動する第１作動回路装置及び第２作動回路装置と、第１作動回路装置と第２作動回路装置とを電気信号の通信が可能になるように接続する電気コードと、電気コードを収納し、電気コードの先端部を移動可能に保持するとともに、電気コードの後端部を移動不能に保持するコード収納ケースと、電気コードの先端部をコード収納ケースに収納される方向に向けて付勢する付勢手段と、第１作動回路装置の近傍に設けられ、電気コードの先端部側を移動不能に保持する保持部材とを備えたから、電気コードは付勢手段によりコード収納ケースに収納される方向に向けて付勢され、第１作動回路装置及び第２作動回路装置との間に位置する部分の電気コードの弛みがなくなり、電気コードが絡むことがなくなるため、電気コードにより第１作動回路装置と第２作動回路装置との接続を行う際の作業性を向上することができる。また、電気コードの先端部側は保持部材により移動不能に保持されるから、電気コードを付勢手段によりコード収納ケースに収納される方向に向けて付勢した場合にも、電気コードの先端部と第１作動回路装置との接続を維持することができる。さらに、電気コードによる接続を外し、不正な作動回路装置を電気コードに接続された場合にも、不正な作動回路装置は、いずれの部材にも取り付けられずに、ぶらさがった状態となるため、不正行為が行われたことを早期に発見することができる。
【発明を実施するための最良の形態】
【００１０】
図１に示すように、本発明を用いた遊技機の１実施例であるパチンコ機２は、本体枠３の内部に遊技盤４が配設されており、遊技盤４の前面には前面扉５が本体枠３に対して開閉自在に設けられている。前面扉５の下方には、打球供給用の供給皿６が設けられ、この供給皿６の下方であり、前面扉５の右側部には、パチンコ球７の打ち出し強さを調節する操作ハンドル８が設けられている。遊技盤４のパチンコ球７が打ち出される遊技領域４ａの略中央には、予め定められた入賞口へパチンコ球を入賞させるなどの所定入賞条件に基づいて遊技中に様々な図柄を液晶画面に所定時間内において変動表示させた後に停止表示させる図柄可変表示装置９が配置され、その周りには始動入賞口１０、通常入賞口１１、アタッカ１２、アウト口１３が設けられている。各入賞口１０〜１２内には、各入賞口１０〜１２に入ったパチンコ球７を検知する入賞球検知センサ１４（図９参照）が設けられている。遊技者は、供給皿６にパチンコ球７を投入してパチンコ球７を供給皿６内に設けられた誘導路を介して球発射装置１７（図９参照）へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１１】
なお、前面扉５が閉じているロック状態であるときには、遊技者や遊技場の作業者は、前面扉５に板状のガラスが装着されて形成されたガラス窓１９を通して遊技盤４の遊技領域４ａを流下していく遊技球を見ることはできるが、遊技盤４にはもちろんのこと本体枠３の内部にも触れることができないようになっている。
【００１２】
図２にパチンコ機の背面側の外観を示す。パチンコ機２の本体枠３には、本体枠３の内部に設けられた支持部材を介して、遊技を行う際に音声発生装置２１（図９参照）等の各種装置を作動させるための主制御を行う主制御基板（第２作動回路装置）１５の他に、副制御基板（第１作動回路装置）１６、球発射装置１７、球払出装置１８等がそれぞれ組み付けられている。主制御基板１５は、主制御基板収納ケース（第２作動回路装置収納ケース）２５に収納されており、副制御基板１６は、副制御基板収納ケース（第１作動回路装置収納ケース）２６に収納されている。主制御基板収納ケース２５及び副制御基板収納ケース２６は、本体枠３の背面の所定位置に取り付けられている。球発射装置１７は、主制御基板１５に接続されており、主制御基板１５により駆動が制御される。また、本体枠３の内部にはスピーカーなどの音声発生装置２１や、本体枠３及び遊技盤４上の様々な位置にランプ２２（図９参照）が設けられており、音声発生装置２１、ランプ２２は、副制御基板１６に接続されており、副制御基板１６により駆動が制御され、音声発生装置２１から演出効果を持たせた音声を発生させたり、ランプ２２の点灯制御によって演出効果を出すといったことを行う。
【００１３】
主制御基板収納ケース（第２作動回路装置収納ケース）２５及び副制御基板収納ケース（第１作動回路装置収納ケース）２６は同じ部材により構成されているため、主制御基板収納ケース２５のみを例に説明し、副制御基板収納ケース２６の説明は簡略化する。主制御基板収納ケース２５の正面斜視図を図３に、正面分解斜視図を図４に示し、副制御基板収納ケース２６の正面斜視図を図５に、正面分解斜視図を図６に示す。主制御基板収納ケース２５は、前カバー３１と後カバー３２とから構成される。前カバー３１と後カバー３２とは、主制御基板１５を収納した状態で取り付けられており、これにより、主制御基板１５に対して何人も接触できないよう防護している。
【００１４】
前カバー３１の右側端部には、後カバー３２を取り付けるための取付孔３１ａが所定のピッチで６個形成されており、前カバー３１の上面及び下面には、係合開口３１ｂがそれぞれ設けられている。係合開口３１ｂは上下面に３個ずつ設けられている。また、前カバー３１の前面には、コード収納ケース（電気コード収納ケース）５０の外周面に取り付けられた第２接続プラグ３７を挿入するための接続開口３１ｃが形成されている。
【００１５】
後カバー３２の右側端部には、前カバー３１を取り付けるための円筒状の取付部３２ａが所定のピッチで６個形成されており、後カバー３２の上面及び下面には、係合開口３１ｂに挿入されるテーパ状の係合突起３２ｂがそれぞれ設けられている。取付締め部３２ａは６個形成されており、それぞれに取付孔３２ｃが形成されている。係合突起３２ｂは上下面に３個ずつ設けられている。ビス３８を、前カバー３１の取付孔３１ａを介して後カバー３２の取付孔３２ｃにビス締めする。これにより、前カバー３１と後カバー３２とが固定される。
【００１６】
副制御基板１６には第１接続コネクタ４１が設けられ、主制御基板１５には第２接続コネクタ４２が設けられており、接続コード３５の先端部に取り付けられた第１接続プラグ３６を第１接続コネクタ４１に挿入し、コード収納ケース５０の外周面に取り付けられた第２接続プラグ３７を第２接続コネクタ４２に挿入することにより、主制御基板１５と副制御基板１６とは電気信号の通信が可能に接続される。接続コード３５の先端部側には、板状のストッパ４５が取り付けられている。
【００１７】
主制御基板収納ケース２５の前カバー３１には、コード収納ケース５０を保持するための保持リブ３１ｄが上下に２個形成されている。保持リブ３１ｄは、先端部がフック状に形成されており、このフック状の先端部によりコード収納ケース５０の保持凸部５０ｃを保持し、コード収納ケース５０を保持する。これにより、コード収納ケース５０が主制御基板収納ケース２５に取り付けられた状態となる。
【００１８】
副制御基板収納ケース２６の前カバー３１には、接続コード３５の先端部側に取り付けられたストッパ４５と当接し、接続コード３５を保持するためのコード保持板（保持部材）４６が取り付けられている。コード保持板４６は、略Ｌ字状に形成されており、前面には、接続コード３５を挿通するための挿通凹部４６ａが形成されている。
【００１９】
図７に示すように、接続コード３５は、コード収納ケース（電気コード収納ケース）５０の内部に収納され、コード巻き取り装置５１の巻き取りリール５４に巻き付けられている。コード収納ケース５０は、左面には中継コード（電気コード）５８を挿通するための第１挿通孔５０ａが、右面には接続コード３５を挿通するための第２挿通孔５０ｂが形成されている。また、コード収納ケース５０の左面には、第２接続プラグ３７が取り付けられており、第２接続プラグ３７には、中継コード５８の後端部が接続されている。コード収納ケース５０の上下それぞれの面の左側端部には、凸状の保持凸部５０ｃが形成されており、第２接続プラグ３７を主制御基板１５の第２接続コネクタ４２に挿入すると、主制御基板収納ケース２５の前カバー３１の保持リブ３１ｄにより保持凸部５０ｃが保持され、コード収納ケース５０が前カバー３１に取り付けられる。コード収納ケース５０の内部には、接続コード３５を巻き取るためのコード巻き取り装置５１が設けられている。
【００２０】
図８に示すように、コード巻き取り装置５１は、ケース本体５２、ゼンマイ（付勢手段）５３、巻き取りリール５４、中継基板５５とを備えている。ケース本体５２の中心部には、挿通軸５２ａが形成されており、挿通軸５２ａには、ゼンマイ５３の直線部５３ｂが挿入される挿入凹部５２ｂが形成されている。ケース本体５２の外周面には、接続コード３５を挿通するための挿通凹部５２ｃが形成されている。ゼンマイ（付勢手段）５３は、弾性変形可能なステンレス（例えば、ＳＵＳ製）から構成され、巻回されている。ゼンマイ５３は、先端部にはフック形状に加工されたフック部５３ａが形成され、後端部には直線状に加工された直線部５３ｂが形成されており、直線部５３ｂは、ケース本体５２の挿入凹部５２ｂに挿入されている。
【００２１】
巻き取りリール５４は、上面部及び下面部よりも中央部が凸状に形成され、断面が略Ｈ字形状になるように形成されており、挿通軸５２ａを挿通するための挿通孔５４ａが形成されている。巻き取りリール５４は、上面には接続コード３５及び接続コード３５の後端部に取り付けられた金属製の接触片５７を挿通するための挿通孔５４ｂが形成され、下面にはゼンマイ５３のフック部５３ａに挿入するための挿入突起５４ｃが形成されている。接続コード３５は、巻き取りリール５４の上面部及び下面部よりも凸状の中央部に巻き付けられており、接続コード３５の後端部に取り付けられた接触片５７は、挿通孔５４ｂに挿通され、巻き取りリール５４の上面から突出する。
【００２２】
コード巻き取り装置５１を組み立てる場合には、巻き取りリール５４の挿入突起５４ｃをゼンマイ５３のフック部５３ａに挿入するときに、フック部５３ａを引出回転方向Ａに回転（例えば、２回転）させた状態で挿入する。この状態では、フック部５３ａが巻取回転方向Ｂに回転しようとする付勢力が発生する。そのため、フック部５３ａが巻取回転方向Ｂに回転し、それに応じて巻き取りリール５４が巻取回転方向Ｂに回転して、接続コード３５が巻き取りリール５４に巻き取られ、ストッパ４５がコード収納ケース５０の右面に接触した状態となる（図７参照）。また、接続コード３５を引出方向Ｃに引き出すと、巻き取りリール５４が引出回転方向Ａに回転し、ゼンマイ５３のフック部５３ａも引出回転方向Ａに回転する。ゼンマイ５３は、後端部に形成された直線部５３ｂがケース本体５２の挿入凹部５２ｂに挿入されており、フック部５３ａが引出回転方向Ａに回転すると、フック部５３ａが巻取回転方向Ｂに回転しようとする付勢力が強くなる。そのため、接続コード３５の引出方向Ｃへの引き出しが解除されると、フック部５３ａが巻取回転方向Ｂに回転し、それに応じて巻き取りリール５４が巻取回転方向Ｂに回転して、接続コード３５が巻き取りリール５４に巻き取られる。
【００２３】
中継基板５５は、ケース本体５２の上面に取り付けられ、ゼンマイ５３及び巻き取りリール５４をケース本体５２内部に収納するための蓋として機能し、上面には中継コード（電気コード）５８の先端部が取り付けられる上パターン面Ｐ１が形成され、下面には接続コード３５の後端部に取り付けられた接触片５７に接触するリング状の下パターン面Ｐ２が形成されている。中継コード５８の後端部は、コード収納ケース５０の外周面に取り付けられた第２接続プラグ３７に取り付けられている。
【００２４】
ケース本体５２内部にゼンマイ５３及び巻き取りリール５４を収納し、中継基板５５をケース本体５２の上面に取り付けると、接続コード３５の後端部に取り付けられた金属製の接触片５７が中継基板５５の下面に形成された下パターン面Ｐ２に接触する。これにより、接続コード３５が中継基板５５に接続された状態となり、中継基板５５、中継コード５８を介して、接続コード３５がコード収納ケース５０の外周面に取り付けられた第２接続プラグ３７に接続される。すなわち、本実施形態では、主制御基板１５と副制御基板１６とを接続する電気コードは、接続コード３５と中継コード５８とから構成され、電気コードの先端部とは接続コード３５の先端部を示し、電気コードの後端部とは中継コード５８の後端部を示すこととなる。なお、下パターン面Ｐ２は、リング状に形成されており、巻き取りリール５４が回転して接触片５７の位置が回転した場合にも、接触片５７は常に下パターン面Ｐ１に接触した状態となる。
【００２５】
図９に示すように、パチンコ機２の作動は基本的に主制御回路装置１５及び副制御回路装置１６によって管制される。
【００２６】
主制御回路装置１５は、メインＣＰＵ（ｃｅｎｔｒａｌ  ｐｒｏｃｅｓｓｉｎｇ  ｕｎｉｔ）１５ａ及びメインＲＯＭ（ｒｅａｄ  ｏｎｌｙ  ｍｅｍｏｒｙ）１５ｂ及びメインＲＡＭ（ｒａｎｄｏｍ  ａｃｃｅｓｓ  ｍｅｍｏｒｙ）１５ｃを備える。メインＣＰＵ１５ａは、入賞球検知センサ１４から入力される入力信号に応じて、メインＲＯＭ１５ｂに記憶されている遊技制御プログラムを読み込んでパチンコ機の遊技状態を制御する命令を生成すると共に、副制御回路装置１６に命令情報を送信して所定の遊技状態となるように実行させる。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。
【００２７】
副制御回路装置１６は、サブＣＰＵ１６ａ及びサブＲＯＭ１６ｂ及びサブＲＡＭ１６ｃを備える。サブＣＰＵ１６ａは、サブＲＯＭ１６ｂに格納された副制御装置用制御プログラムを適宜読み出し、主制御回路装置１５から命令情報として入力される制御信号（電気信号）に応じて、副制御用制御プログラムに従って副制御回路装置１６と、図柄可変表示装置９及び音声発生装置２１及びランプ２２との間で制御信号の入出力を行い所定の遊技状態となるようにするための駆動制御を行う。サブＲＡＭ１６ｃはワーキングエリアとなっており、図柄可変表示装置９及び音声発生装置２１及びランプ２２の制御において利用されるデータなどの一時的保管や書き換えなどに用いられる。なお、サブＣＰＵ１６ａにより駆動を制御する装置は、図柄可変表示装置９、音声発生装置２１及びランプ２２に限られず、遊技領域４ａに設けた可動式の入賞装置なども含まれることとする。
【００２８】
メインＣＰＵ１５ａは、入賞球検知センサ１４からの信号が入力されると、メインＲＯＭ１５ｂに記憶されている遊技制御プログラムに基づいて、球払出装置１８を駆動して所定個数の賞球を供給皿６上に払い出す。なお、賞球の個数は、遊技球が入った各入賞口１０〜１２の種類に応じて適宜設定して良い。
【００２９】
上記のように構成されたパチンコ機の作用について説明する。主制御基板１５と副制御基板１６とを接続する場合には、図１０に示すように、コード収納ケース５０の外周面に取り付けられた第２接続プラグ３７を、主制御基板収納ケース２５の前カバー３１に形成された接続開口３１ｃに挿入し、主制御基板１５に設けられた第２接続コネクタ４２に挿入する。このとき、主制御基板収納ケース２５の前カバー３１の保持リブ３１ｄにより保持凸部５０ｃが保持され、コード収納ケース５０が前カバー３１に取り付けられる。
【００３０】
次に、図１１に示すように、接続コード３５を引出方向Ｃに引き出し、接続コード３５の先端部に取り付けられた第１接続プラグ３６を、副制御基板収納ケース２６の前カバー３１に形成された接続開口３１ｃに挿入し、副制御基板１６に設けられた第１接続コネクタ４１に挿入する。そして、接続コード３５に取り付けられたストッパ４５がコード保持板４６の内面に当接するように、接続コード３５をコード保持板４６の挿通凹部４６ａに挿入する。接続コード３５を引出方向Ｃに引き出すと、巻き取りリール５４が引出回転方向Ａに回転し、ゼンマイ５３のフック部５３ａも引出回転方向Ａに回転する。ゼンマイ５３は、後端部に形成された直線部５３ｂがケース本体５２の挿入凹部５２ｂに挿入されており、フック部５３ａが引出回転方向Ａに回転すると、フック部５３ａが巻取回転方向Ｂに回転しようとする付勢力が強くなる。この付勢力により、接続コード３５が巻取方向Ｄに付勢されて、巻き取りリール５４に巻き取られる。これにより、接続コード３５は、常に巻き取りリール５４に巻き取られる方向に付勢され、主制御基板収納ケース２５と副制御基板収納ケース２６との間に位置する接続コード３５の弛みを防止することができる。また、接続コード３５が巻取方向Ｄに付勢されると、ストッパ４５がコード保持板４６の内面に当接し、それ以上接続コード３５が巻き取りリール５４に巻き取られるのを防止することができるため、接続コード３５を巻き取りリール５４に巻き取られる方向に付勢した場合にも、接続コード３５の先端部に取り付けられた第１接続プラグ３６と、副制御基板１６に設けられた第１接続コネクタ４１との接続を維持することができる。
【００３１】
このように、接続コード３５は、常に巻き取りリール５４に巻き取られる方向に付勢されるため、主制御基板１５と副制御基板１６との間に位置する部分の接続コード３５の弛みがなくなり、接続コード３５が絡むことがなくなるため、接続コード３５により主制御基板１５と副制御基板１６との接続を行う際の作業性を向上することができる。また、接続コード３５が巻取方向Ｄに付勢されると、ストッパ４５がコード保持板４６の内面に当接し、それ以上接続コード３５が巻き取りリール５４に巻き取られるのを防止することができるため、接続コード３５を巻き取りリール５４に巻き取られる方向に付勢し、主制御基板１５と副制御基板１６との間に位置する部分の接続コード３５の弛みをなくした場合にも、接続コード３５の先端部に取り付けられた第１接続プラグ３６と、副制御基板１６に設けられた第１接続コネクタ４１との接続を維持することができる。さらに、不正行為を行う者が、第２接続プラグ３７と主制御基板１５に設けられた第２接続コネクタ４２との接続を外し、不正な作動回路装置を第２接続プラグ３７に接続した場合には、不正な作動回路装置は、いずれの部材にも取り付けられずに、ぶらさがった状態となり、通常時（主制御基板１５と副制御基板１６とが接続されている状態）とは異なる状態であることを、遊技場の管理者に目視で容易に確認させることができるため、遊技場の管理者は、不正行為が行われたことを早期に発見することができる。
【００３２】
なお、上記実施形態では、コード収納ケース５０の外周面に取り付けられた第２接続プラグ３７を、主制御基板１５に設けられた第２接続コネクタ４２に挿入し、接続コード３５の先端部に取り付けられた第１接続プラグ３６を副制御基板１６に設けられた第１接続コネクタ４１に挿入して、主制御基板１５と副制御基板１６とを接続したが、コード収納ケース５０の外周面に取り付けられた第２接続プラグ３７を、副制御基板１６に設けられた第１接続コネクタ４１に挿入し、接続コード３５の先端部に取り付けられた第１接続プラグ３６を主制御基板１５に設けられた第１接続コネクタ４１に挿入して、主制御基板１５と副制御基板１６とを接続してもよく、この場合には、主制御基板収納ケース２５の前カバー３１にコード保持板４６を取り付け、副制御基板収納ケース２６の前カバー３１に保持リブ３１ｄを形成する。
【００３３】
また、上記実施形態では、主制御基板１５と副制御基板１６との接続に本発明を実施したが、これに限定されることなく、電気コードにより接続される２つの作動回路装置の接続であれば本発明を実施することができ、例えば、主制御基板１５と球払出装置１８との接続や、副制御基板１６と声発生装置２１との接続や、副制御基板１６とランプ２２との接続等に本発明を実施してもよく、適宜変更されるものである。
【図面の簡単な説明】
【００３４】
【図１】本発明を実施したパチンコ機の外観を示す斜視図である。
【図２】図１に示したパチンコ機の背面側からの外観を示す斜視図である。
【図３】主制御基板収納ケースとコード収納ケースとを示す斜視図である。
【図４】主制御基板と前カバーと後カバーとを示す分解斜視図である。
【図５】副制御基板収納ケースを示す斜視図である。
【図６】副制御基板と前カバーと後カバーとコード保持板とを示す分解斜視図である。
【図７】電気コードとコード収納ケースとコード巻き取り装置とを示す側面断面図である。
【図８】コード巻き取り装置を示す分解斜視図である。
【図９】パチンコ機内部の電気的構成を示す機能ブロック図である。
【図１０】コード収納ケースに取り付けられた第２接続プラグを主制御基板に設けられた第２接続コネクタに挿入した状態を示す側面断面図である。
【図１１】電気コードの先端部に取り付けられた第１接続プラグを副制御基板に設けられた第１接続コネクタに挿入した状態を示す側面断面図である。
【符号の説明】
【００３５】
２  パチンコ機
３  本体枠
４  遊技盤
１５  主制御基板（第２作動回路装置）
１６  副制御基板（第１作動回路装置）
１８  球払出装置
２１  音声発生装置
２２  ランプ
２５  主制御基板収納ケース（第２作動回路装置収納ケース）
２６  副制御基板収納ケース（第１作動回路装置収納ケース）
３５  接続コード（電気コード）
３６  第１接続プラグ
３７  第２接続プラグ
４１  第１接続コネクタ
４２  第２接続コネクタ
４５  ストッパ
４６  コード保持板（保持部材）
５０  コード収納ケース（電気コード収納ケース）
５１  コード巻き取り装置
５２  ケース本体
５３  ゼンマイ（付勢手段）
５４  巻き取りリール
５５  中継基板
５７  接触片
５８  中継コード（電気コード）
【図１】
2005261495.tif 000003
【図２】
2005261495.tif 000004
【図３】
2005261495.tif 000005
【図４】
2005261495.tif 000006
【図５】
2005261495.tif 000007
【図６】
2005261495.tif 000008
【図７】
2005261495.tif 000009
【図８】
2005261495.tif 000010
【図９】
2005261495.tif 000011
【図１０】
2005261495.tif 000012
【図１１】
2005261495.tif 000013